(57)【特許請求の範囲】
【請求項１】
おにぎり状のご飯を包装するためのおにぎり用包装紙であって、
それぞれの外周縁部において互いに密封されるシール部を形成し、且つ内部には海苔を含む２枚のフィルムからなり、
前記２枚のフィルムのうちのいずれか一方の縦方向の上部には、このフィルムを縦方向に切開可能となるようにフィルムの横方向に設けられた横方向溝を備える第１の切り開き溝が設けられ、
前記第１の切り開き溝を密封するように付着されるカバー部を備え、
前記第１の切り開き溝は、前記シール部よりも縦方向の下部に設けられ、
前記２枚のフィルムのうちの他方には、横方向に幅を有しながら、且つ縦方向に延長するように設けられた折り返し部を備え、
前記折り返し部の縦方向の中心には１つの凹部が設けられ、
前記凹部は、縦方向の中心に近づくほど折り返し部の幅が減少するように設けられることを特徴とするおにぎり用包装紙。
【請求項２】
前記横方向溝は、横方向に水平に設けられるか、あるいは傾斜するように設けられることを特徴とする、請求項１に記載のおにぎり用包装紙。
【請求項３】
前記第１の切り開き溝の横方向溝の端部には、縦方向の下方に延長するように切り開かれた縦方向溝がさらに設けられ、
前記カバー部は、前記縦方向溝を密封するように付着されることを特徴とする、請求項１または２に記載のおにぎり用包装紙。
【請求項４】
前記第１の切り開き溝の横方向溝には、縦方向の上方に延長するように切り開かれた第２の切り開き溝がさらに設けられ、
前記カバー部は、前記第２の切り開き溝を密封するように付着されることを特徴とする、請求項１または２に記載のおにぎり用包装紙。
【請求項５】
前記第１の切り開き溝の周りには、縦方向に延長する切り取りバンドがさらに設けられていることを特徴とする、請求項１または２に記載のおにぎり用包装紙。
【発明の詳細な説明】
【技術分野】
【０００１】
本発明は、おにぎり用包装紙に関し、より具体的には、  三角おにぎりやおむすびなどを包装するためのおにぎり用包装紙に関する。
【背景技術】
【０００２】
従来のおにぎり状ののり巻きを包装する包装紙は、図１４に示されたように、略四角形状の２つのビニール１００、２００の間に海苔Ｋを挿入し、２つのビニールの周りを溶接してシール部１００Ａ、２００Ａを形成することにより形成される。
外紙１００には、外紙１００の分離を容易にするために切り取りバンド１１０が設けられ、内紙２００は、２つの半分が重なり合うように重なって重なり合い部２１０を形成してなる。
このように設けられた略四角形状のおにぎり用包装紙を、三角形状のご飯Ｒの形状に沿って折りたたむことで、三角おにぎりの包装が完成される。
おにぎり用包装紙にて包装された状態でおにぎりを食べるためには、先ず、三角おにぎり用包装紙の外紙１００の中央に縦方向に設けられた切り取りバンド１１０を、三角おにぎり用包装紙の正面の垂直上方から下方に引き裂いて、おにぎり用包装紙の外紙１００を縦方向を中心にして両側に切断する、外紙切断ステップを行う。
次いで、切断したおにぎり用包装紙を両側に引っ張り、おにぎり用包装紙の内紙２００の垂直中央部を中心に左、右側に分離する、包装紙の左右分離ステップを行い、海苔とご飯だけが残るようにした後、残された海苔で三角形状のご飯を包み、食べれば良い。
ところが、このようなおにぎり用包装紙の外紙１００には、切り取りバンド１１０に垂直下方に引っぱって外紙を切り取る作用を容易にするために、切り取りバンド１１０の縦方向の上端部及び下端部にシール部１００Ａが設けられていない外紙開放部１２０が設けられている。
内紙２００の場合にも同様に、切り取りを容易にするために、重なり合い部２１０の上端部及び下端部にシール部２００Ａが設けられていない内紙開放部２２０が設けられている。
さらに、このように形成された外紙開放部１２０及び内紙開放部２２０は、三角おにぎりが包装された状態で、上部に開放するように配置されるようになる。
したがって、おにぎり用包装紙の外紙及び内紙開放部１２０、２２０を通じて外部の空気がおにぎり用包装紙の内部に流入されてしまい、これにより製品の賞味期限が短くなり、ご飯から発生する水蒸気により海苔が湿っぽくなるとともに、その上、おにぎり用包装紙を通じて空気がご飯に伝達されるため、ご飯の味が変質するという問題点が発生する。
さらに、内紙２００の場合は、上述したように両端部のみが開放されているのではなく、縦方向に延設される重なり合い部２１０において、内紙２００のそれぞれの半分が全く密封されず、単純に重なり合っているのみの状態であるため、上述した問題点はもっと深刻になる。
【発明の概要】
【発明が解決しようとする課題】
【０００３】
本発明は、上述したような問題点を解決するためのものであり、より具体的には、海苔を完全に密封させることで、製品の賞味期限を延ばし、海苔の湿っぽくなることを防止するとともに、ご飯の味の変質を防止しながら、消費者が容易に切り取ることができるおにぎり用包装紙を提供することを技術的課題とする。
【課題を解決するための手段】
【０００４】
本発明は、このような課題を解決すべく、おにぎり状のご飯を包装するためのおにぎり用包装紙であって、それぞれの外周縁部において互いに密封されるシール部を形成し、且つ内部には海苔を含む２枚のフィルムからなり、前記２枚のフィルムのうちのいずれか一方の縦方向の上部には、このフィルムを縦方向に切開可能となるようにフィルムの横方向に設けられた横方向溝を備える第１の切り開き溝が設けられ、前記第１の切り開き溝を密封するように付着されるカバー部を備え、前記第１の切り開き溝は、前記シール部よりも縦方向の下部に設けられることを特徴とする。
本発明のおにぎり用包装紙において、前記横方向溝は、横方向に水平に設けられるか、あるいは傾斜するように設けられることを特徴とする。
本発明のおにぎり用包装紙において、前記第１の切り開き溝の横方向溝の端部には、縦方向の下方に延長するように切り開かれた縦方向溝がさらに設けられ、前記カバー部は、前記縦方向溝を密封するように付着されることを特徴とする。
本発明のおにぎり用包装紙において、前記第１の切り開き溝の横方向溝には、縦方向の上方に延長するように切り開かれた第２の切り開き溝がさらに設けられ、前記カバー部は、前記第２の切り開き溝を密封するように付着されることを特徴とする。
本発明のおにぎり用包装紙において、前記２枚のフィルムのうちの他方には、横方向に幅を有しながら、且つ縦方向に延長するように設けられた折り返し部を備えることを特徴とする。
本発明のおにぎり用包装紙において、前記折り返し部には、横方向の幅が他の部分よりも小さく設けられた凹部が設けられていることを特徴とする。
本発明のおにぎり用包装紙において、前記凹部は、縦方向の中心部に設けられることを特徴とする。
本発明のおにぎり用包装紙において、前記折り返し部には、縦方向の中心に近づくほど、折り返し部の幅が減少する凹部が設けられていることを特徴とする。
本発明のおにぎり用包装紙において、前記第１の切り開き溝の周りには、縦方向に延長する切り取りバンドがさらに設けられていることを特徴とする。
【発明の効果】
【０００５】
本発明は、上述した構成により、おにぎり用包装紙の内部に配置された海苔を外部の空気から完全に密封させることで、製品の賞味期限を延ばすとともに、海苔の変質を防止する長所を有する。
また、このような完全密封機能を有しながらも、消費者が容易におにぎり用包装紙を分離することができる効果を有する。
その上、おにぎり用包装紙の分離方法が、従来の方法と同様に行われることにより、従来の消費者が新たなおにぎり用包装紙で包装された三角おにぎりなどを食べる場合であっても、おにぎり用包装紙の分離において混乱や煩わしさ無く、おにぎり用包装紙の製品競争力が向上する効果を有することになる。
【図面の簡単な説明】
【０００６】
【図１】図１は、本発明のおにぎり用包装紙の一実施例の展開斜視図である。
【図２】図２は、本発明のおにぎり用包装紙の一実施例の側断面図である。
【図３】図３は、本発明のおにぎり用包装紙の外紙における第１の切り開き溝の多数の変形例を示した図である。
【図４】図４ａは、図１におけるＡ−Ａ断面を示した図であり、図４ｂは、図１におけるＢ−Ｂ断面を示した図であり、図４ｃは、本発明のおにぎり用包装紙における内紙の凹部の他の変形例を示した図である。
【図５】図５は、本発明のおにぎり用包装紙を用いてご飯を包む過程のステップ（ａ）を示した図である。
【図６】図６は、本発明のおにぎり用包装紙を用いてご飯を包む過程のステップ（ｂ）を示した図である。
【図７】図７は、本発明のおにぎり用包装紙を用いてご飯を包む過程のステップ（ｃ）を示した図である。
【図８】図８は、本発明の包装紙によって包装されたおにぎり用包装紙から外紙を切り取るステップ（ａ）を示した図である。
【図９】図９は、本発明の包装紙によって包装されたおにぎり用包装紙から外紙を切り取るステップ（ｂ）を示した図である。
【図１０】図１０は、本発明の包装紙によって包装されたおにぎり用包装紙から外紙を切り取るステップ（ｃ）を示した図である。
【図１１】図１１は、本発明の包装紙によって包装されたおにぎり用包装紙から内紙を切り取るステップ（ａ）を示した図である。
【図１２】図１２は、本発明の包装紙によって包装されたおにぎり用包装紙から内紙を切り取るステップ（ｂ）を示した図である。
【図１３】図１３は、本発明のおにぎり用包装紙の外紙及び内紙が切断された状態を示した図である。
【図１４】図１４は、従来技術のおにぎり用包装紙を示した図である。
【発明を実施するための形態】
【０００７】
以下において、本発明の実施例を図面を参照しながら説明する。
本明細書及び請求の範囲において用いられた用語や単語は、通常的且つ辞書的な意味に限定されてはならず、発明者は、自分の発明をもっとも良く最善の方法で説明するために用語の概念を適切に定義することができるという原則に即して、本発明の技術的思想に符合する意味及び概念として解釈しなければならない。
したがって、本明細書に記載された実施例や図面に示された構成は、本発明の最も好ましい一実施例に過ぎないものであるだけで、本発明の技術的思想をすべて代弁するものではないため、本出願時点においてこれらを代替可能な多様な均等物や変形例などがあり得ることを理解しなければならない。
図１は、本発明のおにぎり用包装紙の一実施例の展開斜視図である。図２は、本発明のおにぎり用包装紙の一実施例の側断面図である。
本発明のおにぎり用包装紙は、包装紙の外側を形成する外紙１０と、前記外紙１０に載置された海苔Ｋを覆うように外紙１０と付着される内紙２０とからなる。
外紙１０は、略四角形状であり、従来の三角おにぎり用包装紙の場合と同等に、ポリプロピレンのようなフィルムやビニール素材で作製されるか、または切り取りバンドによって容易に破断することができる他の材質であってもよい。
外紙１０の中央部には、上部から下部へ縦方向に長く延長する切り取りバンド１１が設けられており、切り取りバンド１１は、外紙１０と一体に形成するか、または別途に設けられていてもよい。
切り取りバンド１１は、公知の構成であって、使用者が容易に識別することができるように赤色などで作製し、外紙１０よりも強堅な素材で作製される。
本実施例では、切り取りバンド１１を含むように設けられているが、これに限定されるものではなく、外紙の素材が破断し易いものである場合など、状況によっては、切り取りバンド１１を形成しないこともある。
外紙１０及び内紙２０に溶接などにより設けられる、それぞれの外紙シール部１０Ａ、１０Ｂ、１０Ｃ、１０Ｄ及び内紙シール部２０Ａ、２０Ｂ、２０Ｃ、２０Ｄは、外紙１０及び内紙２０のすべての周縁に設けられることにより、外部からの空気などの流入が完全に遮断される作用をする。
図３は、本発明のおにぎり用包装紙の外紙における第１の切り開き溝の多数の変形例を示した図である。
外紙１０において、外紙シール部１０Ａの下部には、第１の切り開き溝１３が設けられている。
第１の切り開き溝１３は、外紙１０の横方向に延長する‘─’形状の水平部１３ａと、該水平部１３ａの両端部において外紙１０の縦方向の下方に延長する‘│’形状の垂直部１３ｂとからなる。
本実施例において、第１の切り開き溝１３は、外紙１０の縦方向の切開を容易にするためのものであり、上述したように、水平部１３ａと垂直部１３ｂとをいずれも備えるように設けられているが、両方のうちいずれか一方のみを形成することも可能である。
第１の切り開き溝１３の形状は、切り開き溝において横方向の成分が存在するものであれば、他の形状であってもよい。例えば、図３に示されたように、上方または下方に設けられる傾斜溝の形状に第１の切り開き溝１３を形成することも可能である。
一方、第１の切り開き溝１３の上部には、外紙１０の縦方向の上方に延長する第２の切り開き溝１４がさらに設けられている。
図４ａは、図１におけるＡ−Ａ断面を示した図である。図４ｂは、図１におけるＢ−Ｂ断面を示した図である。
内紙２０は、図４ａに示されたように、横方向に幅を有しながら、且つ縦方向に延長するように設けられた折り返し部２１を備える。折り返し部２１の横方向の幅は、一般的には一定して設けられる。
折り返し部２１の略縦方向の中央部には、図４ｂから明らかなように、折り返し部の横方向の幅が減少する形状を有する凹部２２が設けられている。
本発明の他の変形例の内紙５０において、凹部５１は、図４ｃに示されたように、折り返し部の幅が漸次的に減少しない形状として設けられていてもよい。
凹部２２、５１は、後でおにぎり用包装紙を両側方向に引っぱる場合に応力の集中を生じさせ、内紙２０の破断が容易となるようにする作用をする。
カバー部３０は、把持部３０Ａと付着部３０Ｂとからなる。
把持部３０Ａは、外紙１０からはみ出すように設けられ、使用者が把持し易くなるように設けられる。
付着部３０Ｂは、粘着液が塗布されており、外紙１０の第１の切り開き溝１３、または第１、第２の切り開き溝１３、１４をすべて覆うように付着される。
図５は、本発明のおにぎり用包装紙を用いてご飯を包む過程のステップ（ａ）を示した図である。
おにぎり用包装紙の内紙２０に三角形状のご飯Ｒを載置した後、おにぎり用包装紙の下部を、三角形の下辺に該当する部分を折り返し線として、上下対称となるように上方に折りたたむことにより、ご飯の前面及び後面を包装する。
図６は、本発明のおにぎり用包装紙を用いてご飯を包む過程のステップ（ｂ）を示した図である。
次いで、半分に折れている外紙１０と内紙２０の外側周縁の上部及び両側部を熱融着手段などにより互いに付着させた後、おにぎり用包装紙の上部の左、右側両角の端部を、三角形の側辺に該当する部分を折り返し線として、おにぎりの後面方向に折りたたむ。
図７は、本発明のおにぎり用包装紙を用いてご飯を包む過程のステップ（ｃ）を示した図である。
最後に、おにぎりの後面で折り返された包装紙の左、右側角を、テープやステッカーなどの付着手段４０または溶接などを用いて、おにぎりの後面で包装紙の外紙１０に付着させることにより、おにぎりの包装が完成される。
以下では、本発明のおにぎり用包装紙に包装されたおにぎりにおいて、包装紙を開封する過程をステップ別に説明する。
図８は、本発明の包装紙によって包装されたおにぎり用包装紙から外紙を切り取るステップ（ａ）を示した図である。
消費者は、先ず、外紙１０の上端の表面に付着されたカバー部３０の把持部３０Ａを把持する。
図９は、本発明の包装紙によって包装されたおにぎり用包装紙から外紙を切り取るステップ（ｂ）を示した図である。
次いで、把持したカバー部３０を、三角おにぎりの前面上部から下部へ垂直方向に引っぱることにより、外紙１０の前面が垂直中央部を中心にして左、右側に分離するように切り開かれる。
この時、外紙１０では、第１の切り開き溝１３を中心にその下部が切り開かれるため、シール部１０Ａの上側は破断されていない状態で存在する。
図１０は、本発明の包装紙によって包装されたおにぎり用包装紙から外紙を切り取るステップ（ｃ）を示した図である。
最後に、カバー部３０を三角おにぎりの下部を通り、後面部で下部から上部に引っ張り続けると、外紙１０の後面も中央部を中心にして左右に分離される。
この時にも、シール部２０Ｂの下側は破断されていない状態で残存するようになる。
図１１は、本発明の包装紙によって包装されたおにぎり用包装紙から内紙を切り取るステップ（ａ）を示した図である。
先ず、消費者は、内紙２０の切断のために、三角おにぎり用包装体の底面部において、外紙１０及び内紙２０の両側部を把持した後、外側に向けて左、右側に力をかけて引っぱる。
図１２は、本発明の包装紙によって包装されたおにぎり用包装紙から内紙を切り取るステップ（ｂ）を示した図である。
おにぎり用包装紙において、外紙１０及び内紙２０の左、右側を引っぱり続けると、内紙２０に設けられた折り返し部２１がどんどん開かれながら、凹部２２、５１に引張力が集中して作用し、凹部２２、５１が先に破断されて分離し始めるようになり、内紙２０の分離が、大きな力を必要とせずに容易に行われる。
一方、内紙２０の破断がどんどん大きくなりながら、外紙１０に残存するシール部２０Ａの上側は第２の切り開き溝１４により破断され、シール部２０Ｂの下側は両側から引っぱられる引張力により破断され、外紙１０も完全に垂直中央部を中心に分離し始める。
図１３は、本発明のおにぎり用包装紙の外紙及び内紙が切断された状態を示した図である。
三角おにぎり用包装紙の外紙１０及び内紙２０の左、右側を引っぱり続けるようになると、外紙１０と内紙２０が縦方向の垂直中央部を中心にして左、右側に完全分離され、海苔Ｋとご飯Ｒのみが残るようになる。消費者は、海苔Ｋを三角形のご飯Ｒの形状に沿って包んだ後、食べれば良い。
本発明においては、外紙及び内紙の端部を密封することにより、開放部が設けられないようにし、外部の空気が流入されることを根本的に遮断した。
さらに、内紙においても、開放部が根本的に生じないように形成することによって、おにぎり用包装紙の全般にわたって完全に密封されるように設けられた。
したがって、外部からの空気がおにぎり用包装紙に流入されないことにより、おにぎりの賞味期限が従来よりもさらに延ばされる作用をするようになり、同時に、海苔が湿っぽくなるか、ご飯の味が変質することを防止するという作用をする。
また、おにぎり用包装紙の切り取り方法においても、従来と同様な方法を用いるため、消費者が別途の困難や煩わしさが無く、容易におにぎり用包装紙を切り取ることが可能となる。
その上、おにぎり用包装紙の切り取りにおいても、消費者が過度な力を作用すること無くても、僅かな力のみで切り取ることが可能となる。
本実施例において、内紙が内部において重なり合い部を設け、且つ開封部が設けられない場合について記載しているが、これに限定されるものではない。すなわち、本実施例における外紙のように外紙を形成し、内紙は、従来技術における内紙と同様に、開放部が設けられた内紙を用いておにぎり用包装紙を形成するのも、本発明の技術的思想に含まれることに留意しなければならない。
【図２】
0005549040.tif 000002
【図３（ａ）】
0005549040.tif 000003
【図３（ｂ）】
0005549040.tif 000004
【図３（ｃ）】
0005549040.tif 000005
【図３（ｄ）】
0005549040.tif 000006
【図３（ｅ）】
0005549040.tif 000007
【図３（ｆ）】
0005549040.tif 000008
【図４（ａ）】
0005549040.tif 000009
【図４（ｂ）】
0005549040.tif 000010
【図４（ｃ）】
0005549040.tif 000011
【図５】
0005549040.tif 000012
【図６】
0005549040.tif 000013
【図７】
0005549040.tif 000014
【図８】
0005549040.tif 000015
【図９】
0005549040.tif 000016
【図１０】
0005549040.tif 000017
【図１１】
0005549040.tif 000018
【図１２】
0005549040.tif 000019
【図１３】
0005549040.tif 000020
【図１４】
0005549040.tif 000021
【図１】
0005549040.tif 000022